(57)【要約】  剃毛及び刈込みを組み合わせた装置（１０）は、上端部（１４）及び下端部を有するハンドル（１２）、上端部に隣接して配置される電動刈込み器（３０）、及びハンドルの上端部の上に刈込み器に被せて装着するように適合される湿式剃毛かみそりアタッチメント（２０）を含む。湿式剃毛かみそりアタッチメントは、解除可能なロック機構（２２）によって刈込み器に取り外し可能に接続される。
2013521072.tif 000002
【特許請求の範囲】
【請求項１】
剃毛及び刈込みを組み合わせた装置であって、
上端部と下端部とを有するハンドルであって、
前記上端部に隣接して配置される電動刈込み刃と、
前記上端部に隣接して配置され、前記電動刈込み刃に近接して配置される少なくとも１つの張り出す縁部を有する刈込み器ハウジングと、
前記上端部に近接して前記ハンドルに配置されるスロットであって、前部側面と後部側面とを有し、前記前部側面は張り出す口縁を含むスロットと、を含む、
ハンドルと、
湿式剃毛かみそりアタッチメントであって、
前部端部と後部端部とを有する接続部材であって、
前記前部端部に近接して配置され、前記刈込み器ハウジングの前記少なくとも１つの張り出す縁部に解除可能に取り付けられる張り出す肩部と、
前記後部端部に配置される少なくとも１つのフックであって、前記フックはラッチする表面を含み、前記フックは前記ハンドルの前記スロットに解除可能に取り付けられ、前記ラッチする表面は前記スロットの前記前部側面上の前記張り出す口縁に対して付勢される少なくとも１つのフックと、を含む、
接続部材と、
前記接続部材の前記前部端部に取り付けられるかみそりカートリッジと、を含む、
湿式剃毛かみそりアタッチメントと、
を備えた、剃毛及び刈込みを組み合わせた装置。
【請求項２】
前記接続部材が前記ハンドルと緊合する関係に引き寄せるように、及び前記装置を下げることで生じる過度の力の下で前記接続部材が係脱され得るように、前記ラッチする表面と前記フックとは角度を有する、請求項１に記載の装置。
【請求項３】
前記フックは、通常使用中に前記接続部材の動きを制限するリブを含む、請求項１に記載の装置。
【請求項４】
前記接続部材の前記フックを前記スロットの前記前部側面上の前記張り出す口縁に取り付けている間、可聴クリックが生成される、請求項１に記載の装置。
【請求項５】
２つの張り出す縁部が前記電動刈込み刃の両側に前記刈込み器ハウジングに配置される、請求項１に記載の装置。
【請求項６】
前記湿式剃毛かみそりアタッチメントが取り外されたとき、前記刈込み器ハウジングの前記張り出す縁部に解除可能に取り付けられる少なくとも１つの刈込み用櫛をさらに備えた、請求項１に記載の装置。
【請求項７】
剃毛及び刈込みを組み合わせた装置であって、
上端部と下端部とを有するハンドルであって、
前記上端部に隣接して配置される電動刈込み刃と、
前記上端部に隣接して配置され、前記電動刈込み刃に近接して配置される少なくとも１つの張り出す縁部を有する刈込み器ハウジングと、
前記上端部に近接するバネ仕掛けのスライダーであって、
前記スライダーの直線的な動きを前部方向及び後部方向に偏倚するバネと、
前部側面と後部側面とを有し前記前部側面は張り出す口縁を含むスロットと、を含む、
バネ仕掛けのスライダーと、を含む、
ハンドルと、
湿式剃毛かみそりアタッチメントであって、
前部端部と後部端部とを有する接続部材であって、
前記前部端部に近接して配置され、前記刈込み器ハウジングの前記少なくとも１つの張り出す縁部に解除可能に取り付けられる張り出す肩部と、
前記後部端部に配置されるフックであって、前記フックはラッチする表面を含み、前記フックは前記バネ仕掛けのスライダーの前記スロットに解除可能に取り付けられ、前記ラッチする表面は前記スロットの前記前部側面上の張り出す口縁に対して付勢されるフックと、を含む、
接続部材と、
前記接続部材の前記前部端部に取り付けられるかみそりカートリッジと、を含む、
湿式剃毛かみそりアタッチメントと、
を備えた、剃毛及び刈込みを組み合わせた装置。
【請求項８】
前記接続部材が前記ハンドルと緊合する関係に引き寄せるように、及び前記装置を下げることで生じる過度の力の下で前記接続部材が係脱され得るように、前記ラッチする表面と前記フックとは角度を有する、請求項７に記載の装置。
【請求項９】
前記フックは、通常使用中に前記接続部材の動きを制限するリブを含む、請求項７に記載の装置。
【請求項１０】
前記フック上の前記バネ仕掛けのスライダーと前記接続部材のラッチする肩部とによって生じる力が取り付け中に可聴クリックを生成する、請求項７に記載の装置。
【請求項１１】
前記湿式剃毛かみそりアタッチメントは、前記かみそりカートリッジを前記接続部材から着脱させる排除機構をさらに備えた、請求項７に記載の装置。
【請求項１２】
剃毛及び刈込みを組み合わせた装置であって、
上端部と下端部とを有するハンドルであって、
前記上端部に隣接して配置される電動刈込み刃と、
前記上端部に隣接して配置され、前記電動刈込み刃に近接して配置される少なくとも１つの張り出す縁部を有する刈込み器ハウジングと、
前記上端部に近接して前記ハンドルに配置されるスロットであって、前部側面と後部側面とを有し、前記前部側面は張り出す口縁を含むスロットと、を含む、
ハンドルと、
湿式剃毛かみそりアタッチメントであって、
前部端部と弾性のある可撓性後部端部とを有する接続部材であって、
前記前部端部に近接して配置され、前記刈込み器ハウジングの前記少なくとも１つの張り出す縁部に解除可能に取り付けられる張り出す肩部と、
前記弾性のある可撓性後部端部に配置されるフックであって、前記フックはラッチする表面を含み、前記フックは前記ハンドルの後側の前記スロットに解除可能に取り付けられ、前記ラッチする表面は前記弾性のある可撓性後部端部によって前記スロットの前記前部側面上の前記張り出す口縁に対して付勢されるフックと、を含む、
接続部材と、
前記接続部材の前記前部端部に取り付けられるかみそりカートリッジと、を含む、
湿式剃毛かみそりアタッチメントと、
を備えた、剃毛及び刈込みを組み合わせた装置。
【請求項１３】
前記弾性のある可撓性後部端部は成形弾性要素を含む、請求項１２に記載の装置。
【請求項１４】
前記接続部材は硬質プラスチックを含み、前記後部端部は、前記後部端部を前記接続部材の前記前部端部に接続する硬質プラスチックの一体化したストリップを形成し、弾性のある可撓性後部端部をもたらす、前記接続部材の対向する両側の不連続のスロットによって前記前部端部から部分的に分離される、請求項１２に記載の装置。
【請求項１５】
剃毛及び刈込みを組み合わせた装置の湿式剃毛かみそりアタッチメントであって、
前部端部と後部端部とを有する接続部材であって、
前記前部端部に近接して配置され、前記剃毛及び刈込みを組み合わせた装置に解除可能に取り付けられる張り出す肩部と、
前記後部端部に配置される少なくとも１つのフックであって、前記フックは前記剃毛及び刈込みを組み合わせた装置に解除可能に取り付けられるフックと、を含む、
接続部材と、
前記接続部材の前記前部端部に取り付けられるかみそりカートリッジと、
を備えた、湿式剃毛かみそりアタッチメント。
【発明の詳細な説明】
【技術分野】
【０００１】
本発明は剃毛及び刈込みを組み合わせた装置に関する。より詳細には、本発明は、湿式剃毛かみそりアタッチメントを刈込み装置に接続するロック機構に関する。
【背景技術】
【０００２】
消費者の大半は、顔の毛の外観を変えたいと思うたびに、かみそり、はさみ及び電気刈込み器といった複数の道具を取り扱うのは、ひどく面倒な場合があると感じている。剃毛及び刈込みの両方を提供する身だしなみ用装置は当該技術分野において既知であるが、そのような装置は多くの場合、大きくて扱いにくく使うのが困難であり得る。例えば、米国特許第７，５３６，７８７号に開示される、装置の同じ端部に位置する電気刈込み刃及び湿式剃毛刃の両方を有する身だしなみ用装置は、視界を遮る可能性がある。例えば、ユーザーがもみあげ、口ひげ、又は他の顔の毛を刈込むために刈込み器を使用する際に、湿式剃毛刃がユーザーの視界を遮る場合がある。したがって、湿式剃毛かみそり刃のカートリッジに取り付ける一端部と刈込み器に取り付ける別の端部とを有する接続部材等の、取り外し可能な剃毛構成要素を有する剃毛及び刈込み装置の必要性がある。
【０００３】
刈込み器と湿式剃毛かみそり刃のカートリッジとの間の接続部材は、いくつかの必要条件を満たさなければならない。構造体は、湿式剃毛の使用中に刈込み器のハンドルの力及び動きのすべてを湿式剃毛カートリッジ上に移動させるために、安定であって固定されていなければならない。特に、損傷を防ぐために意図しないアタッチメントの係脱が起こるのを避けなければならない。構造体は、湿式剃毛の使用と刈込みの使用との間の切り替えを行うために、消費者が容易に取り付け及び取り外しができなければならない。構造体は、カートリッジへの破損を防ぐために、使用中に湿式剃毛アタッチメントが付いた刈込み器が落下した場合、衝撃力に耐えることができなければならない。いくつかの組み合わせでは、湿式剃毛及び身だしなみ用装置は、構造体が刈込み器のハンドルから生成される振動を湿式剃毛アタッチメントに移動させるようになっている。これは、振幅が失われ、そして恐らくがたつく音を生じさせることになる部品間の遊び又は隙間がない、しっかりとした嵌合を必要とする。
【先行技術文献】
【特許文献】
【０００４】
【特許文献１】米国特許第７，５３６，７８７号
【発明の概要】
【発明が解決しようとする課題】
【０００５】
消費者が容易に取り付け及び取り外しができる接続部材、及び使用中に接続部材を固定させるだけでなく、装置が落下した場合、衝撃下で接続部材が刈込み器から着脱するように解除可能なロック機構を含む、剃毛及び刈込みを組み合わせた装置を提供する必要性がある。
【課題を解決するための手段】
【０００６】
電池作動式の刈込み器、及び解除可能なロック機構によって刈込み器に取り外し可能に接続される湿式剃毛かみそりアタッチメントを備えた、剃毛及び刈込みを組み合わせた装置が提供される。刈込み器は、上端部及び下端部、並びに前側及び後側を有するハンドルを含む。電動刈込み刃及び刈込み器ハウジングは、上端部に隣接して配置される。刈込み器ハウジングは、刈込み刃の下方のハンドルの前側に、湿式剃毛かみそりアタッチメントに少なくとも１つの第１の接続をもたらす張り出す縁部を含む。ハンドルは、上端部と下端部との間で上端部により近接してハンドルの後側にスロットを含む。スロットは、ハンドルの上端部に向いて前部側面、及びハンドルの下端部に向いて後部側面を含む。スロットの前部側面は、ハンドルを湿式剃毛かみそりアタッチメントに解除可能に取り付ける第２の接続をもたらす湿式剃毛かみそりアタッチメントをかみ合わす張り出す口縁を含む。
【０００７】
湿式剃毛かみそりアタッチメントは、前部端部及び後部端部、並びに前面及び後面を有する接続部材を備える。接続部材の前部端部は、刈込み器ハウジングの張り出す縁部に解除可能に取り付けられる張り出す肩部を前面上に、及び湿式剃毛かみそりカートリッジの接続を含む。接続部材の後部端部は、ハンドルのスロットの前部側面上の張り出す口縁に解除可能に取り付けられるラッチする表面を有する少なくとも１つのフックを前面上に含む。
【０００８】
一実施形態では、バネ仕掛けのスライダーは、前述のスロットがバネ仕掛けのスライダーに配置されてハンドルの後側の上端部に近接して配置される。バネ仕掛けのスライダーは、ハンドルの長さに沿ってスライダーの直線的な動きを前後に偏倚し、スロットの前部側面上の張り出す口縁と接続部材の後部端部上のフックのラッチする表面との間に偏倚力を発生させるバネを含む。
【０００９】
剃毛及び刈込みを組み合わせた装置の別の実施形態では、湿式剃毛かみそりアタッチメントの接続部材は、前部端部及び弾性のある可撓性後部端部を有する接続部材を含む。前部端部は、刈込み器ハウジングの張り出す縁部に解除可能に取り付けられる張り出す肩部を前面上に含み、弾性のある可撓性後部端部は、ハンドルのスロットに解除可能に取り付けられるフックを前面に含む。フックは、接続部材の弾性のある可撓性後部端部によってスロットの張り出す口縁に対して付勢されるラッチする表面を含む。この実施形態では、弾性のある後部端部は、接続部材の後部端部に取り付けられる成形弾性要素を含み得る。別の実施形態では、接続部材は硬質プラスチックを含み、後部端部は、後部端部を接続部材の前部端部に接続する硬質プラスチックの一体化したストリップを形成する接続部材の対向する両側の不連続のスロットによって前部端部から部分的に分離される。硬質プラスチックの一体化したストリップは弾性のある可撓性後部端部をもたらす。
【図面の簡単な説明】
【００１０】
【図１ａ】湿式剃毛かみそりアタッチメントの取り付けを例示する剃毛及び刈込みを組み合わせた装置の斜視図。
【図１ｂ】湿式剃毛かみそりアタッチメントの取り付けを例示する剃毛及び刈込みを組み合わせた装置の斜視図。
【図１ｃ】湿式剃毛かみそりアタッチメントの取り付けを例示する剃毛及び刈込みを組み合わせた装置の斜視図。
【図２ａ】湿式剃毛かみそりアタッチメントのロック機構を示す湿式剃毛及び刈込みを組み合わせた装置の断面図。
【図２ｂ】湿式剃毛かみそりアタッチメントのロック機構を示す湿式剃毛及び刈込みを組み合わせた装置の断面図。
【図２ｃ】湿式剃毛かみそりアタッチメントのロック機構を示す湿式剃毛及び刈込みを組み合わせた装置の断面図。
【図２ｄ】湿式剃毛かみそりアタッチメントのロック機構を示す湿式剃毛及び刈込みを組み合わせた装置の断面図。
【図３】図２ａ〜２ｄに示すロック機構の他の実施形態の断面図。
【図４ａ】湿式剃毛かみそりアタッチメントの斜視図。
【図４ｂ】湿式剃毛かみそりアタッチメントの斜視図。
【図４ｃ】湿式剃毛かみそりアタッチメントの斜視図。
【図５】本発明による刈込み器の実施形態の平面図。
【図６ａ】図５に示す刈込み器の実施形態のロック機構の断面図。
【図６ｂ】図５に示す刈込み器の実施形態のロック機構の断面図。
【図７ａ】湿式剃毛かみそりアタッチメントの他の実施形態の断面図。
【図７ｂ】湿式剃毛かみそりアタッチメントの他の実施形態の断面図。
【図７ｃ】湿式剃毛かみそりアタッチメントの他の実施形態の断面図。
【図７ｄ】湿式剃毛かみそりアタッチメントの他の実施形態の断面図。
【図８ａ】湿式剃毛かみそりアタッチメントの他の実施形態の斜視図。
【図８ｂ】湿式剃毛かみそりアタッチメントの他の実施形態の斜視図。
【図９】刈込み用櫛が取り付けられた湿式剃毛及び刈込みを組み合わせた装置の部分断面図。
【発明を実施するための形態】
【００１１】
図１ａ〜１ｃは、剃毛及び刈込みを組み合わせた装置１０を示す。装置１０は、ハンドル１２、電動刈込み器３０、及び刈込み器３０に取り外し可能に接続される湿式剃毛かみそりアタッチメント２０を含む。ハンドル１２は、上端部１４及び下端部１６、並びに前側１８及び後側１９を有する。刈込み器３０は、前側１８の上端部１４又はその近傍に位置し、少なくとも１つの刈込み刃（鋸歯状であってよい）を動かすように構成され、この刈込み刃は刈込み器３０内に配置される。特定の実施形態では、積み重ねた位置に配置される複数の刈込み刃があってもよく、１つ以上の刈込み刃の刃先に隣接して置かれる毛髪を刈込む又は切断する動作を行うために、少なくとも１つの刃が他の刃に対して往復運動する。刈込み器ハウジング３２は、刈込み器３０の近傍に上端部１４に隣接して配置される。
【００１２】
湿式剃毛かみそりアタッチメント２０は、接続部材２２及びかみそりカートリッジ２４を含む。接続部材２２は、ハンドル１２の上に刈込み器３０に被せて装着するように適合される。かみそりカートリッジ２４は、接続部材２２と係合可能に嵌合する。図１ａ〜ｃの実施形態では、かみそりカートリッジ２４は、接続部材２２に取り外し可能に取り付けられる。かみそりカートリッジ２４は、カートリッジ２４のハウジング２８内に装着される１つ以上の刃２６を含む。装置１０は、図１ａに示すように、湿式剃毛かみそりアタッチメント２０が完全に取り外されて刈込み装置として作動する、又は湿式剃毛アタッチメント２０が上端部１４に取り外し可能に取り付けられて湿式剃毛装置として作動するように構成される。図１ｂ及び１ｃは、湿式剃毛かみそりアタッチメント２０がハンドル１２に組み立てられる移行を例示する。剃毛及び刈込みを組み合わせた装置１０は、少なくとも１つの刈込み刃の動きから得られる振動がかみそりアタッチメント２０への振動に移動するように、湿式剃毛かみそりアタッチメント２０がハンドル１２に組み立てられた間、刈込み器３０の作動によって電動湿式剃毛装置として機能し得る。
【００１３】
別の実施形態（図示せず）では、湿式剃毛かみそりアタッチメント２０は、かみそりカートリッジ２４を接続部材２２から取り外し可能に取り付けるための排除機構を含む。さらに別の実施形態では、かみそりカートリッジ２４は、前面上に１つ以上のかみそり刃を含み、少なくとも１つの刃が、この前面に対して実質的に垂直に配置される。かみそりカートリッジ２４は、Ｇｉｌｌｅｔｔｅ  Ｃｏｍｐａｎｙに譲渡された米国特許出願第７，６６９，３３５号（Ｖｉｎｃｅｎｔ  Ｗａｌｋｅｒ）に開示されたタイプであり得る。
【００１４】
別の実施形態では、湿式剃毛かみそりアタッチメントが完全に取り外されるとき、毛髪を所望の長さに刈込むための櫛アタッチメントが刈込み装置２１０に組み立てられてもよい。図９に示すように、櫛アタッチメント２３８は、湿式剃毛かみそりアタッチメントに使用される接続特徴と同じ特徴のうちのいくつか、又はすべてを使って刈込み器ハウジング２３２に取り付けるように構成され得る。
【００１５】
図２ａ〜２ｄに示す実施形態では、刈込み器ハウジング３２は、刈込み器３０の前側１８に配置される少なくとも１つの張り出す縁部３４を含む。他の実施形態では、刈込み器ハウジングは、刈込み器３０の両側（刈込み器３０の左右）の前側１８に配置される２つの離間して配置される張り出す縁部３４を含み得る。バネ仕掛けのスライダー４０は、ハンドル１２の後側１９の上端部１４に近接して配置され、湿式剃毛かみそりアタッチメント２０に解放可能な接続をもたらす。バネ仕掛けのスライダー４０は、前部側面４４及び後部側面４６を有するスロット４２を含む。スロット４２の前部側面４４は張り出す口縁４８を含む。バネ仕掛けのスライダー４０は、スライダー４０の直線的な動きを前部方向及び後部方向に偏倚するバネ７０を含む。図２ａ及び２ｃに示す実施形態では、バネ７０は、スロット４２の前部側面４４の近傍に位置する。しかしながら、図３に示し、以下で完全に説明する他の実施形態では、バネ１７０はスロット１４２の後部側面１４６の近傍に位置する。
【００１６】
湿式剃毛かみそりアタッチメント２０は、前部端部５０及び後部端部５２、並びに前面５４及び後面５６を有する接続部材２２を備える。接続部材２２は、前部端部５０に近接する前面５４に配置される張り出す肩部５８を含む。張り出す肩部５８は、刈込み器ハウジング３２の張り出す縁部３４に解除可能に取り付けられる。少なくとも１つのフック６０が、接続部材２２の前面５４上の後部端部５２に配置される。フック６０はラッチする表面６２を含む。図２ｂ及び２ｄに示すように、フック６０は、ラッチする表面６２がスロット４２の前部側面４４上の張り出す口縁４８に接するように、バネ仕掛けのスライダー４０のスロット４２に解除可能に取り付けられる。接続部材２２のフック６０をスロット４２の前部側面４４上の張り出す口縁４８に取り付けている間、可聴クリックが生成される。図示されていない他の実施形態では、接続部材は、接続部材の後部端部に配置される２つ以上のフックを含み得る。
【００１７】
図２ａ〜２ｄに示す実施形態では、スライダー４０に取り付けられるバネ７０によって生成されるスプリング力が、接続部材２２をハンドル１２と緊合する関係に引き寄せるように、ラッチする表面６２は角度を有する。さらに、ラッチする表面６２の角度を有する構成及びバネ仕掛けのスライダー４０の組み合わせによって、接続部材２２は、装置１０が落下した結果として生じる突然の衝撃等の過度の力の下で係脱可能である。そのような力の下で接続部材２２がハンドル１２から分離可能であることによって、使用中に装置が誤って落下した場合、接続部材２２が壊れるのを防ぐことができる。
【００１８】
バネ１７０がスロット１４２の後部側面１４６の近傍に位置する図３に示す他の実施形態では、フック１６０及び対応するラッチする表面１６２は、スロット１４２の後部側面１４６に向いて配向される。この実施形態では、スロット１４２の後部側面１４６は、フック１６０上でラッチする表面１６２をかみ合わす張り出す口縁１４８を含む。
【００１９】
図４ａ〜４ｃに示す一実施形態では、接続部材２２上のフック６０は、通常使用（すなわち、剃毛、接続部材からカートリッジを取り外す等）の間、接続部材２２の動きを制限するリブ６４を含む。リブ６４は、フック６０の前部面の中央に配置される。この実施形態では、図５に示すバネ仕掛けのスライダー４０のスロット４２は、リブ６４を収容できるようにスロット４２の前部側面４４にチャネル４５を含む。チャネル４５は、スロット４２の前部側面４４に垂直に配向される。図６ａ及び６ｂは、接続部材２２、並びに図５に示すスロット４２及びチャネル４５に解除可能に取り付けられるリブ６４を備えるフック６０を含む湿式剃毛かみそりアタッチメント２０を示す。
【００２０】
図７ａ〜７ｄに示す他の実施形態では、接続部材２２２は、接続部材２２２とハンドル２１２との間で付勢された解除可能な接続を提供するように構成され得る。この実施形態では、ハンドル２１２は、バネ仕掛けのスライダーなしで、ハンドル２１２の後側２１９に上端部２１４に近接して直接配置されるスロット２４２を備えて構成される。前述のスライダー構成と類似して、ハンドル２１２のスロット２４２は、前部側面２４４及び後部側面２４６を含む。スロットの前部側面は張り出す口縁２４８を含む。接続部材２２２は、前面２５４及び後面２５６、並びに前部端部２５０及び弾性のある可撓性後部端部２５２を含む。張り出す肩部２５８は、前部端部２５０に近接する前面２５４に配置される。張り出す肩部２５８は、ハンドル２１２の前側２１８に、刈込み器ハウジング２３２の少なくとも１つの張り出す縁部２３４に解除可能に取り付けられる。好ましくは、張り出す肩部２５８は、刈込み器２３０の両側に配置される刈込み器ハウジング２３２の２つの張り出す縁部２３４に解除可能に取り付けられる。フック２６０は、弾性のある可撓性後部端部２５２で前面２５４に配置される。フック２６０は前方を向くラッチする表面２６２を含み、フック２６０はハンドル２１２の後側２１９のスロット２４２に解除可能に取り付けられる。ラッチする表面２６２は、弾性のある可撓性後部端部２５２によってスロット２４２の前部側面２４４上の張り出す口縁２４８に対して付勢される。
【００２１】
この実施形態では、図７ａ〜７ｄに示すように、接続部材２２２の弾性のある後部端部２５２は、接続部材２２２の後面２５６に取り付けられる成形弾性要素２８０を含み得る。成形弾性要素２８０は、接続部材２２２とハンドル２１２との間の解除可能な取り付けに必要な弾性のある柔軟性をもたらす。図７ｄに示すように、接続部材２２２は、接続部材２２２の弾性のある後部端部２５２に力Ｆを加えることで取り外される。
【００２２】
図８ａ及び８ｂに示す他の実施形態では、接続部材３２２は、硬質プラスチックから構成され得、弾性のある後部端部３５２は弾力的に曲がりやすいように構成され得る。図８ａに示す実施形態では、後部端部３５２は、後部端部３５２を接続部材３２２の前部端部３５４に接続する硬質プラスチックの一体化したストリップ３９４を形成する接続部材３２２の対向する両側の不連続のスロット３９０、３９２によって、前部端部３５０から部分的に分離される。硬質プラスチックの一体化したストリップ３９４は、弾性のある可撓性後部端部３５２を形成し、図８ｂに示すように、接続部材３２２がハンドル３１２に取り外し可能に取り付けられる間、後部端部３５２及び対応するフック（図示せず）を偏向させる。
【００２３】
本明細書に開示される寸法及び値は、列挙された正確な数値に厳しく制限されるものとして理解されるべきでない。それよりむしろ、特に指定されない限り、そのような各寸法は、列挙された値とその値周辺の機能的に同等の範囲との両方を意味することを意図する。例えば、「４０ｍｍ」として開示した寸法は、「約４０ｍｍ」を意味することを意図したものである。
【００２４】
相互参照される又は関連するあらゆる特許又は出願書類を含め、本明細書において引用されるすべての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。
【００２５】
本発明の特定の実施形態を図示し、記載したが、本発明の趣旨及び範囲から逸脱することなく他の様々な変更及び修正を実施できることが当業者には自明である。したがって、本発明の範囲内にあるそのようなすべての変更及び修正を添付の特許請求の範囲で扱うものとする。
【図１ａ】
2013521072.tif 000003
【図１ｂ】
2013521072.tif 000004
【図１ｃ】
2013521072.tif 000005
【図２ａ】
2013521072.tif 000006
【図２ｂ】
2013521072.tif 000007
【図２ｃ】
2013521072.tif 000008
【図２ｄ】
2013521072.tif 000009
【図３】
2013521072.tif 000010
【図４ａ】
2013521072.tif 000011
【図４ｂ】
2013521072.tif 000012
【図４ｃ】
2013521072.tif 000013
【図５】
2013521072.tif 000014
【図６ａ】
2013521072.tif 000015
【図６ｂ】
2013521072.tif 000016
【図７ａ】
2013521072.tif 000017
【図７ｂ】
2013521072.tif 000018
【図７ｃ】
2013521072.tif 000019
【図７ｄ】
2013521072.tif 000020
【図８ａ】
2013521072.tif 000021
【図８ｂ】
2013521072.tif 000022
【図９】
2013521072.tif 000023
【国際調査報告】
2013521072.tif 000024
2013521072.tif 000025